(57)【特許請求の範囲】
【請求項１】
内蔵したデジタル信号再生装置からのデジタル音声出力を含む出力と、前記デジタル信号再生装置とは別系統の出力と、を表示・再生の為に切り替える切り替え部と、
前記内蔵したデジタル信号再生装置からのデジタル音声出力が０である時、前記切り替え部から選択された出力が復号された信号である音声信号をミュートするミュート制御部と、
前記内蔵したデジタル信号再生装置からの出力が表示・再生中で無い場合は、前記ミュート制御部に、前記内蔵したデジタル信号再生装置からのデジタル音声出力が０である時、前記切り替え部から選択された出力が復号された信号である音声信号をミュートしないよう制御する制御部と、
を有するテレビジョン受信機。
【発明の詳細な説明】
【０００１】
【発明の属する技術分野】
本発明は、ＤＶＤ等の光ディスク再生装置を内蔵するテレビジョン受信機に関するものである。
【０００２】
【従来の技術】
図５は、従来の再生装置内蔵テレビジョン受信機に関するものである。
図５で１は、ＴＶ入力２は、ビデオ入力３はＡＶ入力切り替えスイッチであるＡＶＳＷ、４はＲＧＢプロセッサー、５はディスプレイ、６はオーディオコントローラ、７はスピーカ、８は制御部、９は操作キー入力部、１０はビデオＣＤ再生装置である。
【０００３】
以下、図５を用いて動作を説明する。
図５の従来例は、テレビジョン受信機にビデオＣＤ再生装置を組み込んだものである。
ＴＶ入力１は、およびビデオ入力２は、ＡＶＳＷ３に入力されている。制御部８は、操作キーの入力に応じてＡＶＳＷ３の入力を切り替えてＲＧＢプロセッサー４およびオーディオコントローラに映像信号および音声信号を供給する。ＲＧＢプロセッサー４は、ＡＶＳＷ３からの映像信号をＲＧＢ信号に変換し、ディスプレイ５を駆動し画面表示を行う。
同様にオーディオコントローラ６は、ＡＶＳＷ３からの音声信号を制御しスピーカ７に供給し音声出力をおこなう。操作キー入力部９により利用者よりビデオＣＤ再生装置１０が選択された場合、制御部８は、ビデオＣＤ再生装置１０に対し駆動制御を行うと同時にＡＶＳＷ３をビデオＣＤ再生装置１０側に切り替える。ビデオＣＤ再生中にユーザーがＴＶ入力に信号を切り替えて放送内容を見たい場合、操作キー入力部９を介して操作をおこなうと制御部８は、ビデオＣＤ再生装置１０に対して一時停止信号を出すと共にＡＶＳＷ３をＴＶ入力１に切り替える。その後ユーザーが元のビデオＣＤ再生装置１０にＡＶＳＷ３を切り替える操作行うと制御部８はトグル式にＴＶ入力１からビデオ入力２に切り替えさらにビデオＣＤ再生装置１０に切り替えると同時に、ビデオＣＤ再生装置１０に対し一時停止を解除する信号を送ることで、ＡＶＳＷを切り替えた所から再び再生を開始する。
あるいは、ＡＶＳＷ３を切り替えた時点でもビデオＣＤ再生装置１０に対し一時停止信号を出さずにそのまま再生を継続させるような場合も有りうる。
【０００４】
【発明が解決しようとする課題】
上記の従来例は、特開平７−２４０８８２号公報の再生装置内蔵テレビジョン受像機を基本にしたものである。
このような再生装置内蔵テレビジョン受信機では、ＭＰＥＧ１の画質レベル等もあって、ゼネラルオーディオの範疇としてあつかわれており、音声のＳ／Ｎ改善ということは考慮されておらずビデオＣＤ再生装置１０にかけられるビデオＣＤ等によっては、チャプターあるいはトラックを途中で進める場合にノイズ（例えばクリック音、ボツ音、あるいはポツ音と称される）が発生したり、あるいは無音時、テレビジョン受信機の偏向回路が発する垂直同期信号の影響によりハム音、あるいは水平同期信号の影響によるサーと言う高音が漏れ聞こえるという問題があった。
本発明は、このように音声のＳ／Ｎ改善を実現すること、チャプター間、トラック間、あるいは曲間のスキップ時のノイズを低減することでより質の高い音声再生ができるテレビジョン受信機を提供することを目的とする。
【０００５】
【課題を解決するための手段および発明の効果】
本発明は内蔵したデジタル信号再生装置からのデジタル音声出力を含む出力と、前記デジタル信号再生装置とは別系統の出力と、を表示・再生の為に切り替える切り替え部と、前記内蔵したデジタル信号再生装置からのデジタル音声出力が０である時、前記切り替え部から選択された出力が復号された信号である音声信号をミュートするミュート制御部と、前記内蔵したデジタル信号再生装置からの出力が表示・再生中で無い場合は、前記ミュート制御部に、前記内蔵したデジタル信号再生装置からのデジタル音声出力が０である時、前記切り替え部から選択された出力が復号された信号である音声信号をミュートしないよう制御する制御部と、を有するテレビジョン受信機である。
【０００７】
【発明の実施の形態】
請求項１に記載のテレビジョン受信機は、ＡＶ入力の切り替え時に音声出力を押さえるための第１の音声ミュートをかける手段、
内蔵した光ディスク再生装置のデジタル音声出力が０である時、音声出力を押さえるための第２の音声ミュート手段、
前記第２の音声ミュート手段を内蔵した光ディスク再生表示中以外は効かない様にする手段
を有することを特徴とする
請求項２に記載のテレビジョン受信機は、請求項１に加えて光ディスクのトラックあるいは、チャプターをスキップする際に音声出力を押さえるための第３の音声ミュート手段を有することを特徴とする。
以下、本発明のテレビジョン受信機を図１〜図４に示す各実施の形態に基づいて説明する。なお従来例を示す従来図と同様の作用をなすものには同一の符号を付けて説明する。
【０００８】
（実施の形態１）
図１は、本発明の実施の形態１を示す。
なお、従来例を示す図５で示したものと同様の作用をなすものには同一の符号を付けて説明する。また同一の番号を有するものは既に機能を説明しているので説明を省略する。
図１において８ａは各種制御処理を行う制御部、１１ａは光ディスクを再生するための光ディスク再生装置、１２は光ディスクを駆動するための各種のディスク制御を行うディスク制御部である。
【０００９】
１３は、ＡＶＳＷ３切り替え時に制御部８ａから制御され、オーディオコントローラ６に対し音声出力を押さえるためのミュート信号を出力し、かつＴＶ入力１とビデオ入力２が有効な時、０検出器２７からのミュート信号ＺＭＵＴＥが無効になるように制御するミュート制御部、２０は光ディスクからのＡＶ信号を処理するためのＡＶデコーダ、３０は光ディスクからのデータを読みとるディスクデータ読取部である。
ＡＶデコーダ２０の詳細ブロック図を図２に示す。図２において２１は、データ再生に用いる１６ＭｂのメモリであるＳＤＲＡＭ、２２はＭＰＥＧデータ、ＭＰ＠ＭＬを復号するビデオデコーダ、２３はさらに各種音声信号ＡＣ３、ＭＰＥＧ、リニアＰＣＭを復号するオーディオデコーダ、２４はビデオデコーダ２２からの信号をＮＴＳＣ信号に変換するＮＴＳＣデコーダである。
２５はＮＴＳＣエンコーダからのデジタル信号をアナログ信号に変換するＤＡＣ、２６はオーディオデコーダ２３からのデジタル信号をアナログ信号に変換するＤＡＣ、２７はＤＡＣ２５に供給されるデジタルデータの０を検出し０検出信号ＺＭＵＴＥを出力するための０検出器である。
ディスクデータ読取部３０の詳細ブロック図を図３に示す。図３において３１はディスクを駆動させるためのスピンドルモーター、３２はスピンドルモーターを駆動させるモータードライバー、３３は光ディスクからデータを読み取るための光ピックアップ、３４は光ピックアップからの信号を増幅するためのヘッドアンプ、３５はヘッドアンプからの信号をデジタル信号に変換処理するための信号処理部である。
３６はヘッドアンプ３４から読まれた信号よりディスクの回転を制御するためのディスクサーボ制御部、３７はスクランブルのかかった信号処理部３５からの信号を、デスクランブルするためのデ・スクランブラである。
以下、図１を元に説明する。操作キー入力部９により光ディスク再生装置１１ａからのＡＶ信号の表示再生が要求された場合、制御部８ａは、その要求内容に基づきＡＶＳＷ３をＴＶ入力１あるいはビデオ入力２から光ディスク再生装置１１ａの信号に切り替える。
また同時に制御部８ａは、ディスク制御部１２に対し再生要求を行う。ディスク制御部１２は、ディスクデータ読取部３０に対し読取制御を行う。ディスクデータ読取部３０は、モータードライバーを動作させ、スピンドルモーター３１を回転させる。また光ピックアップ３３内部の読取部を適正位置に移動させ、光信号としてデータを読み出す。読み出されたデータは、ヘッドアンプ３４で増幅され信号処理部３５およびディスクサーボ制御部３６に供給される。
ディスクサーボ制御部３６は読み出された信号よりスピンドルモーター３１の回転を正しく制御するためのサーボ制御をモータードライバー３２に対し行う。また、信号処理部３５は、呼び出された信号をデジタル化するための処理を行いデスクランブラ３７に供給する。デスクランブラ３７は、送られて来た信号のスクランブルを解読し処理しやすい形態に変換しＡＶデコーダ２０に供給する。
ＡＶデコーダ２０に供給されたデジタルデータは、ＭＰＥＧ２ＭＰ＠ＭＬビデオデコーダ２２によりＳＤＲＡＭ２１を用い映像データと音声データにデータをデコードする。ＡＣ３／ＭＰＥＧ／リニアＰＣＭオーディオデコーダ２３は、音声データをさらに復号しデジタル音声データとしてＤＡＣ２６に出力され、ＤＡＣ２６でアナログのオーディオ信号に変換される。ＭＰＥＧ２ＭＰ＠ＭＬビデオデコーダ２２からの映像データは、ＮＴＳＣエンコーダでデジタル形式ＮＴＳＣに変換されＤＡＣ２５でビデオ信号に変換される。
これらのビデオ信号はＡＶＳＷ３を介してＲＧＢプロセッサー４でＲＧＢ信号に変換され、ＣＲＴ等のディスプレイ５に表示される。
同様にオーディオ信号もＡＶＳＷ３を介してオーディオコントローラ６で音量、トーン制御されスピーカ７で音声となる。同時にＡＣ３／ＭＰＥＧ／リニアＰＣＭオーディオデコーダ２３からの音声データが０の場合、０検出器２７で検出され０検出信号ＺＭＵＴＥ（ＺＥＲＯ  ＭＵＴＥ）信号としてミュート制御部１３に出力される。
制御部８ａは、ミュート制御部１３に対し、ＺＭＵＴＥ信号が有効になるように設定する。このことにより、ミュート制御部１３に対し入力されたＺＭＵＴＥ信号は、オーディオコントローラ６に対して有効となりＡＶデコーダ２０からの音声信号がデジタル信号として０つまり無音で有る場合は、オーディオコントローラ６に対しミュートがかかるため無音時に垂直同期信号の６０Ｈｚあるいは交流電源からの誘導音であるハム音や水平同期信号（ＮＴＳＣでは１５．７３４ｋＨｚ）から誘導音のいわゆるサー音を消すことができる。
また、ミュート制御部１３は制御部８ａがＡＶＳＷ３を切り替える時に事前にミュート信号を有効にしＡＶＳＷ３が完全に切り替わった後、ミュート信号を解除することで、ＡＶスイッチが切り替えられるときに発生しがちないわゆるプチ音、ボツ音あるいはポツ音といった切り替え時の不快な音を軽減することができる。
なお説明の便宜上ＡＣ３（オーディオ・コード・３）と言う表現を用いたが、ドルビーデジタルという表記が一般的になりつつある。
【００１０】
（実施の形態２）
図４は、本発明の実施の形態２を示す。
なお、従来例を示す図５、図１、図２および図３と同様の作用をなすものには同一の符号を付けて説明する。また同一の番号を有するものは既に機能を説明しているので説明を省略する。
１１ｂは、光ディスク再生装置、１４は、ディスク制御部１２からセットリセットされるミュートレジスタである。
以下図４を用いて説明する。
制御部８ａがディスク制御部１２に対し、光ディスクのチャプター（コンテンツの区切り）、トラック（例えば曲の区切りあるいは楽章の区切り等）を前後にスキップさせる要求を行った場合、ディスク制御部１２は、ただちにミュートレジスタ１４をセット（ＯＮ）する。
【００１１】
ミュートレジスタ１４が、セットされるとＳＭＵＴＥ（ＳＫＩＰ  ＭＵＴＥ）信号をミュート制御部１３に対し出力する。ミュート制御部１３は、オーディオコントローラ６に対しミュート要求を行い音声信号が抑制される。この後、ディスク制御部１２はディスクデータ読取部２０に対して次（前あるいは後）のチャプターあるいはトラックの頭出し処理を行う。頭出しが完了するとディスク制御部１２は、ミュートレジスタ１４をリセットする。
【００１２】
ミュートレジスタ１４がリセットされるとＳＭＵＴＥ信号は、ミュート制御部１３に対しオフ状態となり音声信号へのミュートが解除される。その後、ディスク制御部１２は頭出しされた箇所より再生処理を再会する。この様にすることでテレビジョン受信機はいわゆるプチ音、ボツ音あるいはポツ音と称される切り替えノイズを軽減することが出来る。
【００１３】
【発明の効果】
本究明によれば、次の効果を奏する。
一般にテレビジョン受信機の音声再生は、内部に偏向系という妨害源を抱えており、ゼネラルオーディオの範疇としてあつかわれており、音声のＳ／Ｎ改善ということはあまり考慮されていなかった。
請求項１記載の発明によれば、音声が出ているときはノイズがマスキングされるという性質を利用し、光ディスク再生機能を内蔵するテレビジョン受信機では、無音時、テレビジョン受信機の偏向回路が発する垂直同期信号の影響によるハム音、あるいは水平同期信号の影響によるサーと言う高音が漏れ聞こえるという問題を改善し、光ディスク再生中の無音時つまりデジタル音声のＤＡ変換前のデジタルの０データを検出し、検出信号で音声回路にミュートをかけることで音声のＳ／Ｎ改善を実現することが出来、より質の高い音声再生を実現できるという極めて優れた効果を得ることが出来る。
請求項２記載の発明によれば光ディスク再生機能を内蔵するテレビジョン受信機では、再生する光ディスクのチャプターあるいはトラックを途中で進める場合にノイズ（例えばクリック音、ボツ音、あるいはポツ音と称される）が発生しないようにあらかじめミュート期間を設けることでより質の高い音声再生を実現できるという極めて優れた効果を得ることが出来る。
【図面の簡単な説明】
【図１】実施の形態１における表示装置のブロック構成図
【図２】実施の形態１におけるＡＶデコーダの詳細ブロック図
【図３】実施の形態１におけるディスクデータ読取図の詳細ブロック図
【図４】実施の形態２における表示装置のブロック構成図
【図５】従来例における表示装置のブロック構成図
【符号の説明】
１１  デジタルビデオディスク再生部
１２  ディスク制御部
１３  ミュート制御部
１４  ミュートレジスタ
２０  ＡＶデコーダ
２１  ＳＤＲＡＭ
２２  ＭＰＥＧ２  ＭＰ＠ＭＬ  ビデオデコーダ
２３  ＡＣ３／ＭＰＥＧ／リニアＰＣＭオーディオデコーダ
２４  ＮＴＳＣエンコーダ
２５  ＤＡＣ（ビデオ信号用）
２６  ＤＡＣ（オーディオ信号用）
２７  ０検出器
３０  ディスクデータ読取部
３１  スピンドルモーター
３２  モータードライバー
３３  光ピックアップ
３４  ヘッドアンプ
３５  信号処理部
３６  ディスクサーボ制御
３７  デスクランブラ
【図１】
0004747397.tif 000002
【図２】
0004747397.tif 000003
【図３】
0004747397.tif 000004
【図４】
0004747397.tif 000005
【図５】
0004747397.tif 000006